(57)【要約】【課題】イベント会場についてより実際に近い疑似体験を提供する。【解決手段】データベース４０には、異なった場所にある、複数のイベント会場についての３Ｄ映像データおよび各イベント会場の属性データを記憶されている。３Ｄ映写装置３４は、データベース４０に記憶されている３Ｄ映像データに基づく映像を映し出し、その内部を人が歩ける３Ｄ映像空間を形成する。また、検索部２２では、複数のイベント会場をその会場の属性データに基づき検索する。そして、検索部２２によって検索されたイベント会場について、３Ｄ映写装置３４によって３Ｄ映像空間を作成し、ユーザに選択されたイベント会場についての３Ｄ映像空間を体験させる。【選択図】図１
2011192000.tif 000002
【特許請求の範囲】
【請求項１】
異なった場所にある、複数のイベント会場についての３Ｄ映像データおよび各イベント会場の属性データを記憶する記憶手段と、
この記憶手段に記憶されている３Ｄ映像データに基づく映像を映し出し、その内部を人が歩ける３Ｄ映像空間を形成する３Ｄ映写手段と、
前記記憶手段に記憶されている複数のイベント会場をその会場の属性データに基づき検索する検索手段と、
を含み、
検索手段によって検索されたイベント会場について、前記３Ｄ映写手段によって３Ｄ映像空間を作成し、ユーザに選択されたイベント会場についての３Ｄ映像空間を体験させることを特徴とするイベント会場案内システム。
【請求項２】
請求項１に記載のイベント会場案内システムにおいて、
前記３Ｄ映像空間作成手段は、少なくとも３つのスクリーンを有し、そのスクリーンに囲まれた空間に３Ｄ映像空間を作成することを特徴とするイベント会場案内システム。
【請求項３】
請求項１または２に記載のイベント会場案内システムにおいて、
前記イベント会場は、結婚式場であることを特徴とするイベント会場案内システム。
【発明の詳細な説明】
【技術分野】
【０００１】
本発明は、結婚式場などのイベント会場の内容を紹介するイベント会場案内システムに関する。
【背景技術】
【０００２】
多くの人は、結婚をする際に、結婚式を挙げる。そこで、全国には多くの結婚式場があり、結婚するカップルは自分らに好ましい結婚式場を選択すること望んでいる。結婚式場の選択については、各種の雑誌や、結婚式場案内書などがあり、これらの場所において、各種の情報が得られる。また、同様の情報は、インターネットなどでも得られるようになってきている。そして、実際に結婚式場を決定する際には、その結婚式場を訪れて確認した後、契約するのが通常である。
【０００３】
さらに、海外において、挙式するカップルもあり、このようなカップルにおいては事前に式場を訪れることはまれであり、写真や文字により各種情報に基づいて結婚式場を決定する。
【先行技術文献】
【特許文献】
【０００４】
【特許文献１】特開２００４−３２６５３２号公報
【発明の概要】
【発明が解決しようとする課題】
【０００５】
ここで、結婚式場を決定する際には、実際にその場に訪れて、その式場が自分に好ましいかを確認するのが好ましい。しかし、時間的制約などもあり、その前にある程度式場を選択する必要がある。その場合、写真や、データなどに基づいて判断することになるが、その選択の際にも実際に訪れたのと同じような判断材料があればその方が好ましいといえる。
【課題を解決するための手段】
【０００６】
本発明は、異なった場所にある、複数のイベント会場についての３Ｄ映像データおよび各イベント会場の属性データを記憶する記憶手段と、この記憶手段に記憶されている３Ｄ映像データに基づく映像を映し出し、その内部を人が歩ける３Ｄ映像空間を形成する３Ｄ映写手段と、前記記憶手段に記憶されている複数のイベント会場をその会場の属性データに基づき検索する検索手段と、を含み、検索手段によって検索されたイベント会場について、前記３Ｄ映写手段によって３Ｄ映像空間を作成し、ユーザに選択されたイベント会場についての３Ｄ映像空間を体験させることを特徴とする。
【０００７】
また、前記３Ｄ映像空間作成手段は、少なくとも３つのスクリーンを有し、そのスクリーンに囲まれた空間に３Ｄ映像空間を作成することが好適である。
【０００８】
また、前記イベント会場は、結婚式場であることが好適である。
【発明の効果】
【０００９】
このように、本発明によれば、イベント会場を３Ｄ映像空間として体験でき、会場について実際の体験に近い認識をして選択することができる。
【図面の簡単な説明】
【００１０】
【図１】システムの全体構成を示す図である。
【図２】３Ｄ映写装置の構成を示す図である。
【発明を実施するための形態】
【００１１】
以下、図面に基づいて、本発明の実施形態に係るイベント会場案内システムについて説明する。
【００１２】
本実施形態に係るシステムは、例えば駅前などのショップスペースにおいて、訪れた顧客に対し、結婚式場などのイベント会場を紹介するために用いられる。図１は、システムの全体構成例を示す図であり、基本的には汎用のコンピュータに所定のアプリケーションソフトをインストールすることによって構成される。マウス、キーボード、タッチパネルなどからなる入力装置１０は、これを操作することによって、顧客の各種データなどを入力する。カメラ１２は、顧客の画像、映像などを入力する。これら入力装置１０、カメラ１２から入力されたデータは、データ処理装置２０に入力される。
【００１３】
また、データ処理装置２０には、出力装置として、ディスプレイ３０、プリンタ３２などが接続されており、ディスプレイには入力画面や各種データ、画像、動画などの出力画面が出力され、プリンタには各種データ、画像などが出力される。そして、ディスプレイ３０の他に、３Ｄ映写装置３４も設けられている。
【００１４】
また、データ処理装置には、各種データを記憶するデータベース４０が接続されている。ここで、データベース４０には、各種のイベント会場、この例では結婚式場の属性データが記憶されている。記憶部４０ａには、住所、電話番号、ファックス番号、ホームページＵＲＬ、電子メールアドレス、式場、披露宴会場、衣装、写真、料金、式場についての各種写真などのデータが、式場毎に記憶されている。また、記憶部４０ｂには、結婚式会場、披露宴会場などの３Ｄ（三次元）映像データが記憶されている。さらに、記憶部４０ｃには、顧客についてのデータが記憶されている。
【００１５】
データ処理装置２０は、各種のデータ処理を行うが、検索部２２、映像処理部２４、映像出力部２６を有している。
【００１６】
このようなシステムにおいて、顧客が来店した場合には、入力装置１０により、顧客についての住所氏名などの個人データを入力すると共に、顧客の式場についての希望（場所、形式、料金など）データを入力する。個人データや希望データは、記憶部４０ｃに記憶されるが、必ずしも記憶部４０ｃに記憶しなくてもよい。検索部２２は、希望データに基づき、記憶部４０ａのデータを検索し希望に当てはまる式場を検索する。検索結果は、ディスプレイ３０に表示され、必要に応じてプリンタ３２にプリントアウトされる。
【００１７】
希望データとしては、場所、結婚式場のスタイル（専門式場、神社、ホテル、ハウスウェディング、レストランなど）や、テーマ（チャペル、リゾート、和風、少人数、挙式のみ）などが挙げられる。
【００１８】
顧客によって、式場についてのさらなる検討が行われる。この場合に、該当する式場についての画像などをディスプレイ３０に表示して顧客に見てもらうことも好適である。
【００１９】
そして、顧客が希望した場合には、映像出力部２６において記憶部４０ｂより、３Ｄ映像データを読み出し、３Ｄ映写装置３４に３Ｄ映像ビデオを表示する。３Ｄ映写装置３４について、図２に示す。この例では、４つの映写装置５０−１〜５０−４と、４つのスクリーン５２−１〜５２−４から構成されている。スクリーン５２−１は正面、スクリーン５２−２は左側面、スクリーン５２−３は右側面、スクリーン５２−４は床面であり、それぞれのスクリーン５２−１〜５２−４に対応する映写装置５０−１〜５０−４からの映像が映し出される。
【００２０】
ここで、この３Ｄ映写装置３４においては、式会場や、披露宴会場の３Ｄビデオ映像が映し出される。そこで、顧客は、この３Ｄ映像内に実際に入り、会場を疑似体験することができる。３Ｄ映像は、看者の右目、左目において見る映像について位置的に異ならせることによって得られる。従来周知のように、看者が左右に、赤と緑のフィルターを取り付けた眼鏡を掛け、映像をそれぞれ赤フィルター用映像と、緑フィルター用映像にする方式や、眼鏡に左右目用部分に高速のシャッターを設け、このシャッターを交互に開き、これに同期して映像を切り換える等の手法が採られるが、その他の手法でもかまわない。
【００２１】
このように、３Ｄ映写装置３４により、会場の疑似体験が行えるため、顧客は写真や動画を見るのと比べ、実際に会場を訪れたのに近い経験ができる。特に、国内、海外など複数の式場を疑似体験することで、自らの要望に近い体験ができ、距離と時間を超えた体験ができ、自己の希望に添った適切な式場の選択が行える。
【００２２】
また、記憶部４０ｂには各種オプションの映像データも記憶されている。例えば、結婚式会場や、披露宴会場における、室内の装飾、テーブルの配置、クロスの種類、花、ウェディングケーキの種類、参加者人数などについて、各種の映像データを用意しておき、映像処理部２４により映像データを処理して、オプション変更の映像データを作成し、３Ｄ映写装置３４において表示する。さらに、同一会場における四季による変化や時間による変化などについても、複数の環境で表示することでそれぞれを具体的に認識することも可能である。これによって、実際の式場に行っても確認できないような状況についての疑似体験も可能となる。
【００２３】
さらに、カメラ１２により、顧客の写真を撮り、これを映像処理部２４において処理して、これを３Ｄ映像中に合成することもできる。顧客の画像を３Ｄ映像として合成するためには、顧客についての画像を複数の角度から撮り３Ｄモデルを形成する必要があるが、顧客の映像自体は２Ｄ映像として、これを所定位置に再現するだけでもよい。
【００２４】
さらに、体験の様子を写真やビデオで収録することで、客観的に顧客が式場で結婚式を行う様子をイメージすることができる。写真や、ビデオ撮影は、そのまま行ってもよいが、顧客についての写真、ビデオを別室において背景なしの映像として得、これを式場の写真と合成してもよい。
【００２５】
また、３Ｄ映像の１シーンについて、通常の２Ｄ画像に変換し、ここに顧客の２Ｄ画像をはめ込み、合成写真を得、これを顧客に提供することも好適である。この場合、３Ｄ映像の１シーンについては、顧客が特定できるようにして、そのシーンの利用することが好適であるが、もともと写真用の画像を別に複数用意しておき、これから顧客に選んでもらうようにしてもよい。
【００２６】
３Ｄ映写装置３４において、３Ｄ映像を映し出している状態で、その前に顧客に立ってもらい、これをカメラ１２により画像に収めることも好適である。これによって、写真を、眼鏡を掛けて見ることによって、背景を３Ｄとした画像を見ることが可能になる。なお、この場合、正面のスクリーンのみを利用するなど、スクリーンを限定することで、顧客の立ち位置の自由度を上げ、写真についての３Ｄ化を容易にすることも好適である。
【００２７】
さらに、上述したような、紹介システムと連動して予約システムを設けておき、空き情報や、様々なプラン情報、価格情報を提供し、顧客による式場予約も受け付けるようにしてもよい。また、結婚式に関連する新婚旅行の場所や、ホテル選び、新居選びなども同会場で、三次元で表示し、疑似体験させ、予約できるようにすることも好適である。
【符号の説明】
【００２８】
１０  入力装置、１２  カメラ、２０  データ処理装置、２２  検索部、２４  映像処理、２６  映像出力部、３０  ディスプレイ、３２  プリンタ、３４  ３Ｄ映写装置、４０  データベース、４０ａ，４０ｂ，４０ｃ  記憶部、５０  映写装置、５２  スクリーン。
【図１】
2011192000.tif 000003
【図２】
2011192000.tif 000004